(57)【要約】  可撓性部材と複数の略矩形セクションとを有する可変ウェイトのトーニングストラップであって、複数の略矩形セクションの各々は、可撓性部材長さに沿って横方向に配置され、可撓性部材の上側面を少なくとも部分的に画定する上面と、上面に実質的に垂直な方向に延出する少なくとも１つの垂直側壁と、セクションの後面と前面とを分離するセクション幅とを有する。セクションのうちの２つは、上側スリットに隣接する各セクションの少なくとも１つの垂直側壁によって画定される不連続な上側スリットを有し、上側スリットはセクション幅をまたがり谷部に終端する。これらのセクションはまた、複数のウェイトを収納する複数のチャネルを画定し、各ウェイトは、複数のチャネルのそれぞれによって選択的に取り外し可能かつ摩擦的に保持される。
2019514622.tif 000002
【特許請求の範囲】
【請求項１】
可変ウェイトのトーニングストラップであって、
可撓性部材であって、上側面と、底面と、第１の端部と、前記第１の端部に対向する第２の端部と、前記可撓性部材の前記第１の端部と前記第２の端部とを分離する可撓性部材長さとを有し、前記上側面および前記底面が前記可撓性部材長さをまたがる、可撓性部材と、
複数の隆起セクションであって、
各々が前記可撓性部材長さに沿って横方向に配置され、
各々が、前記可撓性部材の前記上側面を少なくとも部分的に画定する上面と、前記上面に実質的に垂直な方向に延出する少なくとも１つの垂直側壁と、前面と、前記前面に対向する後面と、前記後面と前記前面とを分離するセクション幅とを含み、
上側スリットに隣接する前記複数の隆起セクションの各々のうち前記少なくとも１つの垂直側壁によって画定された不連続な上側スリットを有し、前記上側スリットは、前記上側スリットを画定している前記複数の隆起セクションの各々の前記セクション幅をまたがり、前記可撓性部材の前記上側面を少なくとも部分的に画定する谷部で終結し、
各々が、前記複数の隆起セクションの各々の前記前面から前記後面への方向で前記可撓性部材長さに沿って横方向にまたがる複数のチャネルを画定する、
複数の隆起セクションと、
複数のウェイトであって、各々が、前記複数の隆起セクションの各々の前記それぞれの複数のチャネルによって選択的に取り外し可能かつ摩擦的に保持される、複数のウェイトと、
モジュールセクションであって、前記可撓性部材長さに沿って横方向に配置され、前記可撓性部材の前記上側面を少なくとも部分的に画定する上面と、前記モジュールセクションの前記上面に実質的に垂直な方向に延出する少なくとも１つの垂直側壁と、前面と、前記モジュールセクションの前記前面に対向する後面と、前記モジュールセクションの前記後面と前記前面とを分離しているセクション幅とを含み、前記モジュールセクションが内部空洞を画定している、モジュールセクションと、
電子制御ユニット（ＥＣＵ）アセンブリであって、前記モジュールセクションの前記内部空洞内に配置され、前記可撓性部材の前記上側面を少なくとも部分的に画定している上面を有するデジタルディスプレイと、前記ディスプレイに電気的に結合された電源とを有する、電子制御ユニット（ＥＣＵ）アセンブリと
を備える、可変ウェイトのトーニングストラップ。
【請求項２】
前記電子制御ユニットアセンブリは、前記モジュールセクションの前記内部空洞に対応する形状およびサイズのＥＣＵハウジングをさらに備え、前記ＥＣＵハウジングは、前記モジュールセクションによって選択的に取り外し可能かつ摩擦的に保持される、
請求項１に記載の可変ウェイトのトーニングストラップ。
【請求項３】
前記モジュールセクションは、前記ＥＣＵハウジングが前記モジュールセクションから取り外されたときに、前記モジュールセクションによって選択的に取り外し可能かつ摩擦的に保持される形状およびサイズである上側面を有するモジュールセクションインサートをさらに備え、前記モジュールセクションインサートは、前記モジュールセクションインサートの前記上側面に対して実質的に垂直の向きで配置される隔壁を含む、
請求項２に記載の可変ウェイトのトーニングストラップ。
【請求項４】
前記モジュールセクションインサートの前記隔壁は、前記モジュールセクションの前記内部空洞内に収納される複数のウェイトの輪郭を少なくとも部分的に描くように形作られた対向する対称な側面をさらに備える、
請求項３に記載の可変ウェイトのトーニングストラップ。
【請求項５】
前記モジュールセクションは、前記モジュールセクションの前記前面によって画定された複数の入口開口部と、前記モジュールセクションの前記後面によって画定された複数の出口開口部とをさらに備え、前記モジュールセクションの前記複数の入口開口部および出口開口部は、前記モジュールセクションの前記内部空洞の入口および出口を提供する、
請求項４に記載の可変ウェイトのトーニングストラップ。
【請求項６】
前記複数の隆起セクションおよび前記隆起モジュールセクションは略矩形状である、
請求項１に記載の可変ウェイトのトーニングストラップ。
【請求項７】
可変ウェイトのトーニングストラップであって、
可撓性部材であって、上側面と、底面と、第１の端部と、前記第１の端部に対向する第２の端部と、前記可撓性部材の前記第１の端部と前記第２の端部とを分離する可撓性部材長さとを有し、前記上側面および前記底面が前記可撓性部材長さをまたがる、可撓性部材と、
複数の隆起セクションであって、
各々が前記可撓性部材長さに沿って横方向に配置され、
各々が、前記可撓性部材の前記上側面を少なくとも部分的に画定する上面と、前記上面に実質的に垂直な方向に延出する少なくとも１つの垂直側壁と、前面と、前記前面に対向する後面と、前記後面と前記前面とを分離するセクション幅とを含み、
上側スリットに隣接する前記複数の隆起セクションの各々の前記少なくとも１つの垂直側壁によって画定された不連続な上側スリットを有し、前記上側スリットは、前記上側スリットを画定している前記複数の隆起セクションの各々の前記セクション幅をまたがり、前記可撓性部材の前記上側面を少なくとも部分的に画定する谷部で終結し、
各々が、前記複数の隆起セクションの各々の前記前面から前記後面への方向で前記可撓性部材長さに沿って横方向にまたがる複数のチャネルを画定する、
複数の隆起セクションと、
複数のウェイトであって、各々が、前記複数の隆起セクションの各々の前記それぞれの複数のチャネルによって選択的に取り外し可能かつ摩擦的に保持される、複数のウェイトと、
モジュールセクションであって、前記可撓性部材長さに沿って横方向に配置され、前記可撓性部材の前記上側面を少なくとも部分的に画定する上面と、前記モジュールセクションの前記上面に実質的に垂直な方向に延出する少なくとも１つの垂直側壁と、前面と、前記モジュールセクションの前記前面に対向する後面と、前記モジュールセクションの前記後面と前記前面とを分離しているセクション幅とを含み、前記モジュールセクションが内部空洞を画定している、モジュールセクションと、
前記モジュールセクションによって選択的に取り外し可能かつ摩擦的に保持される形状およびサイズである上側面を有するモジュールセクションインサートであって、前記モジュールセクションインサートが、前記モジュールセクションインサートの前記上側面に対して実質的に垂直の向きで配置される隔壁を含む、モジュールセクションインサートと
を備える、可変ウェイトのトーニングストラップ。
【請求項８】
前記モジュールセクションは、前記モジュールセクションインサートが前記モジュールセクションから取り外されたときに、前記モジュールセクションの前記内部空洞内に配置され、上面が前記可撓性部材の前記上側面を少なくとも部分的に画定しているデジタルディスプレイと、前記ディスプレイに電気的に結合された電源とを有する電子制御ユニット（ＥＣＵ）アセンブリをさらに備える、
請求項７に記載の可変ウェイトのトーニングストラップ。
【請求項９】
前記複数の隆起セクションおよび前記隆起モジュールセクションは略矩形状である、
請求項８に記載の可変ウェイトのトーニングストラップ。
【請求項１０】
可変ウェイトのトーニングストラップであって、
可撓性部材であって、上側面と、底面と、第１の端部と、前記第１の端部に対向する第２の端部と、前記可撓性部材の前記第１の端部と前記第２の端部とを分離する可撓性部材長さとを有し、前記上側面および前記底面が前記可撓性部材長さをまたがる、可撓性部材と、
前記可撓性部材長さに沿って持ち上げられた位置に配置された複数の隆起セクションであって、
各々が前記可撓性部材長さに沿って横方向に配置され、
各々が、前記可撓性部材の前記上側面を少なくとも部分的に画定する上面と、前記隆起セクションの前記上面から下向きに延出する少なくとも１つの垂直側壁と、前面と、前記前面に対向する後面と、前記後面と前記前面とを分離するセクション幅とを含み、
上側スリットに隣接する前記複数の隆起セクションの各々の前記少なくとも１つの側壁によって画定された不連続な上側スリットを有し、前記上側スリットは、前記上側スリットを画定している前記複数の隆起セクションの各々の前記セクション幅をまたがり、前記可撓性部材の前記上側面を少なくとも部分的に画定する谷部で終結し、
各々が、前記複数の隆起セクションの各々の前記前面から前記後面への方向で前記可撓性部材長さに沿って横方向にまたがる複数のチャネルを画定している、
複数の隆起セクションと、
複数のウェイトであって、各々が、前記複数の隆起セクションの各々の前記それぞれの複数のチャネルによって選択的に取り外し可能かつ摩擦的に保持される、複数のウェイトと、
隆起モジュールセクションであって、前記可撓性部材長さに沿って持ち上げられた位置に配置され、前記可撓性部材の前記上側面を少なくとも部分的に画定する上面と、前記隆起モジュールセクションの前記上面から下向きの方向に延出する少なくとも１つの側壁と、前面と、前記隆起モジュールセクションの前記前面に対向する後面と、前記隆起モジュールセクションの前記後面と前記前面とを分離しているセクション幅とを含み、前記隆起モジュールセクションが内部空洞を画定している、隆起モジュールセクションと、
電子制御ユニット（ＥＣＵ）アセンブリであって、前記モジュールセクションの前記内部空洞内に配置され、前記可撓性部材の前記上側面を少なくとも部分的に画定している上面を有するデジタルディスプレイと、前記ディスプレイに電気的に結合された電源とを有する、電子制御ユニット（ＥＣＵ）アセンブリと
を備える、可変ウェイトのトーニングストラップ。
【請求項１１】
前記複数の隆起セクションおよび前記隆起モジュールセクションは略矩形状である、
請求項１０に記載の可変ウェイトのトーニングストラップ。
【請求項１２】
前記可撓性部材の前記底面によって画定された複数の不連続な下側スリットをさらに備え、前記複数の不連続な下側スリットの各々は、前記可撓性部材の前面と後面とを分離する横幅をまたがり、前記不連続な上側スリットと整列する、
請求項１０に記載の可変ウェイトのトーニングストラップ。
【請求項１３】
前記電子制御ユニットアセンブリは、前記隆起モジュールセクションの前記内部空洞に対応する形状およびサイズのＥＣＵハウジングをさらに備え、前記ＥＣＵハウジングは、前記隆起モジュールセクションによって選択的に取り外し可能かつ摩擦的に保持される、
請求項１０に記載の可変ウェイトのトーニングストラップ。
【請求項１４】
前記隆起モジュールセクションによって選択的に取り外し可能かつ摩擦的に保持される形状およびサイズの上側面を有するモジュールセクションインサートをさらに備え、前記モジュールセクションインサートは、前記モジュールセクションインサートの前記上側面に対して実質的に垂直な向きに配置された隔壁を含む、
請求項１０に記載の可変ウェイトのトーニングストラップ。
【発明の詳細な説明】
【技術分野】
【０００１】
本発明は、一般的にはウェイト付きブレスレットに関し、より詳細には、取り外し可能な可変ウェイトブレスレットに関する。
【背景技術】
【０００２】
肥満は、余分な体脂肪が健康に悪影響を及ぼし、平均余命の短縮および／または健康上の問題の増加につながる程度まで蓄積した医学的状態である。肥満は、様々な疾患、特に心臓病、２型糖尿病、閉塞性睡眠時無呼吸、特定のタイプの癌、および骨関節炎の可能性を高める。肥満の最も一般的な原因は、食物エネルギーの過剰摂取、身体活動の不足および遺伝的感受性であるが、少数のケースでは遺伝子、内分泌障害、薬物療法または精神疾患が主な原因となる。肥満は、大人と子供の罹患率の増加に伴い、世界的に予防可能な死因の筆頭であり、当局は肥満が２１世紀の最も深刻な公衆衛生上の問題の１つであると認識している。
【０００３】
食生活と身体的エクササイズは、肥満治療の主流である。身体的エクササイズとは、身体的なフィットネスや全体的な健康およびウェルネスを改善または維持する任意の身体的活動である。身体的エクササイズは、筋肉および心血管系を強化すること、運動技能を磨くこと、体重の減少または維持、ならびに楽しみの目的で行われる。頻繁で規則的な身体的エクササイズは免疫システムを向上させ、心臓病、心血管疾患、２型糖尿病および肥満などの「豊かさの病気」を予防するのに役立つ。身体的エクササイズはまた、精神的健康を改善し、抑うつの予防に役立ち、自尊心を促進または維持するのに役立ち、さらに高いレベルの自尊心と関連していることが判明した個人の性的魅力または身体イメージを増強することさえできる。
【０００４】
筋力トレーニングとは、筋収縮に対する抵抗を利用して、筋力、無酸素耐性、および骨格筋のサイズを構築することである。適切に実施された場合、筋力トレーニングは、骨、筋肉、腱および靭帯の強度と靱性の強化、関節機能の改善、けがの可能性の減少、骨密度の増加、代謝の一時的な増加、心機能の改善、およびＨＤＬ（善玉）コレステロールの上昇を含む、全体的な健康および幸福における重要な機能的利益および改善をもたらすことができる。トレーニングは、一般に、ウェイト、弾性張力またはその他の抵抗の漸進的な増加によって筋肉の力の出力を徐々に増加させる技術を使用し、特定の筋肉群を標的とする様々なエクササイズおよび器具の種類を使用する。
【０００５】
トーニングエクササイズは、筋系を重視して体格をつくる目的で使用される身体的エクササイズである。この文脈において、引き締まった（ｔｏｎｅｄ）という言葉は、体の痩せ（低レベルの体脂肪）、顕著な筋肉の明確さおよび形状を意味するが、顕著な筋肉のサイズ（「バルク」）を意味しない。「引き締まって」見えることは、特に女性に関連する一般的なフィットネス目標である。
【０００６】
今日の忙しい社会では、多くの人がエクササイズの摂生を守ることに苦労している。
【０００７】
以前から、リストウェイトの使用は抵抗トレーニングの一形態であり、一般に一種のウェイトトレーニングである。リストウェイトは、人に及ぼす重力のより大きな影響に加えて、より重い質量の慣性を克服するために必要なさらなる力と共に、けがを避けるため運動の終わりに減速が必要なより大きな惰性によって、バレエ運動中に抵抗を加える。この方法は、筋肉量を増加させるか、または体重の減少を強化することができるが、リストウェイトおよびアンクルウェイトなどいくつかのウェイトの使用における安全性に対する懸念がある。リストウェイトおよびアンクルウェイトは、ランニング、スイミング、パンチング、キックまたはジャンプなどの長い反復的な事象で実施されたときに耐久力を高めるために取り付けられる小さなウェイトの形態でこれまで提供されてきた。
【０００８】
リストウェイトは、全てではなくともほとんどの場合、関節と腱に相当量のストレスを即時に加えるために十分に重い。以前から、リストウェイトは、特定のエクササイズやワークアウト中に使用するために調整されていた。リストウェイトは、毎日、一日中使用するには、十分に軽くないかまたは意図されてもいない。さらに、これらの既知のリストウェイトは、ワークアウトルーチンなどの活動でリストウェイトを使用する多くのユーザにとって不快で不便であり、ユーザが自分の手または腕／手首の完全な動作範囲を経験することを妨げる。さらに、これらの既知のリストウェイトは、適用または汎用性において非常に限定され、そのためそれらの有用性が限定されている。
【発明の概要】
【発明が解決しようとする課題】
【０００９】
したがって、上記のような従来技術の問題点を克服する必要性が存在する。
【課題を解決するための手段】
【００１０】
本発明は、この一般的なタイプのこれまでに知られているデバイスおよび方法の上述した欠点を克服する可変ウェイトのトーニングストラップを提供する。本発明は、ユーザがエクササイズ、スポーツ、日々の動き、およびその他の活動に関与している間にストラップがユーザの腕または他の先端部に適合することを可能にする構成を用いつつ、ユーザがストラップに様々な量のウェイトを加えることを可能にする。また、本発明は、ユーザが可変ウェイトトーニングアセンブリを用いることを可能にすると共に、電子ディスプレイ、広告表示、またはパーソナライズされたユーザコンテンツなどの様々なコンポーネントまたはデバイスを入れ替える能力をユーザに提供して、ユーザが所望するカスタマイズされた構成を達成する。
【００１１】
本発明によれば、可変ウェイトのトーニングストラップ、ブレスレット、またはリストバンドが開示され、上側面と、底面と、第１の端部と、第１の端部に対向する第２の端部と、可撓性部材の第１の端部と第２の端部とを分離する可撓性部材長さとを有する可撓性部材を含み、上側面および底面は、可撓性部材長さにまたがる。本発明はまた、複数の略矩形または隆起したセクションを含み、このセクションは、ストラップのストラップ部分の上に持ち上げられ、可撓性部材長さに沿って横方向に配置され、また、可撓性部材の上側面を少なくとも部分的に画定する上面を含み、上面に実質的に垂直な方向に延出する少なくとも１つの垂直側壁を有し、前面を有し、前面に対向する後面を有し、後面と前面とを分離するセクション幅を有する。これらの隆起セクションはまた、上側スリットの側面にある複数の略矩形セクションの各々の少なくとも１つの垂直側壁によって画定された不連続な上側スリットを有し、上側スリットは、上側スリットを画定し、可撓性部材の上側面を少なくとも部分的に画定する谷部で終結する、複数の略矩形セクションの各々のセクション幅にまたがる。隆起セクションはまた、１つ以上の、または複数のウェイトを収容するように、複数の隆起セクションのそれぞれの前面から後面への方向で可撓性部材長さに沿って横方向にまたがる複数のチャネルを画定し、各ウェイトは、複数の隆起部セクションの各々の複数のチャネルのそれぞれによって、選択的に取り外し可能に摩擦的に保持される。
【００１２】
別の特徴によれば、本発明の一実施形態はまた、可撓性部材の底面によって画定された少なくとも１つの不連続な下側スリットを含み、下側スリットは、可撓性部材の前面と後面とを分離する横幅にまたがり、ストラップが使用されているときに、特にユーザの手首および／または腕に要求される大きな動作範囲を有する極端なワークアウトルーチンの間に、ユーザに柔軟性と快適性を提供するために上側スリットと位置合わせされる。
【００１３】
本発明のさらなる特徴によれば、可撓性部材と複数の略矩形セクションとは一体である。
【００１４】
さらに別の特徴によれば、本発明の一実施形態はまた、複数の略矩形セクションを含み、各々は、それぞれの複数のチャネルの各々の内部に配置され、かつそれぞれの複数の略矩形セクションの前面を少なくとも部分的に画定しているフランジを有し、フランジは、取り外し可能に摩擦的に保持されたそれぞれの複数のウェイトのうちの１つの側方移動を制限して、ウェイトがストラップから不用意に外れることを防ぐ。
【００１５】
本発明の追加の特徴によれば、複数の略矩形セクションは各々、複数の略矩形セクションの前面に複数の入口開口部を画定し、また複数の略矩形セクションの後面に複数の出口開口部を画定し、複数の入口開口部および出口開口部は、複数のチャネルのそれぞれの端部に配置されて、複数のウェイトの出入りを許容する。
【００１６】
別の特徴によれば、本発明の追加の実施形態はまた、複数のウェイトのそれぞれの重心および質量中心の少なくとも１つによって定義される少なくとも１つの点によって画定される長手方向軸を含む複数のウェイトを含み、複数の略矩形セクションのうちの１つの複数のチャネルによって取り外し可能に摩擦的に保持された複数のうち２つのウェイトの長手方向軸は、互いに平行で同一平面上にある。
【００１７】
さらなる特徴によれば、本発明の追加の実施形態はまた、（１）略矩形モジュールセクションであって、可撓性部材長さに沿って横方向に配置され、可撓性部材の上側面を少なくとも部分的に画定している上面と、モジュールセクションの上面に実質的に垂直な方向に延出している少なくとも１つの垂直側壁と、前面と、モジュールセクションの前面に対向する後面と、モジュールセクションの後面と前面とを分離するセクション幅とを含み、モジュールセクションが内部空洞を画定する略矩形モジュールセクションと、（２）モジュールセクションの内部空洞内に配置され、可撓性部材の上側面を少なくとも部分的に画定する上面を備えたデジタルディスプレイと、ディスプレイに電気的に結合された電源とを有する電子制御ユニット（「ＥＣＵ」）アセンブリとを含む。
【００１８】
別の特徴によれば、本発明の追加の実施形態は、モジュールセクションの内部空洞に対応する形状およびサイズであるＥＣＵハウジングを有する電子制御ユニットアセンブリを含み、ＥＣＵハウジングは、モジュールセクションによって選択的に取り外し可能かつ摩擦的に保持される。モジュールセクションはまた、リム、トラック、フランジ、またはＥＣＵハウジングの保持を容易にする他の構造を有してもよい。
【００１９】
さらなる特徴によれば、本発明の別の実施形態は、（１）略矩形モジュールセクションであって、可撓性部材長さに沿って横方向に配置され、可撓性部材の上側面を少なくとも部分的に画定する上面と、モジュールセクションの上面に実質的に垂直な方向に延出している少なくとも１つの垂直側壁と、前面と、モジュールセクションの前面に対向する後面と、モジュールセクションの後面と前面とを分離するセクション幅とを含み、モジュールセクションが内部空洞を画定する、略矩形モジュールセクションと、（２）モジュールセクションによって選択的に取り外し可能かつ摩擦的に保持される形状およびサイズである上側面を有するモジュールセクションインサートであって、モジュールセクションインサートはモジュールセクションインサートの上側面に対して実質的に垂直な向きに配置された隔壁を含む、モジュールセクションインサートとを含む。
【００２０】
さらなる特徴によれば、本発明の一実施形態はまた、モジュールセクションの内部空洞内に収納される複数のウェイトの輪郭を少なくとも部分的に描くように形成された対向する対称な側面を有する、モジュールセクションインサートの隔壁を含む。
【００２１】
さらに別の特徴によれば、本発明の一実施形態はまた、モジュールセクションの前面によって画定された複数の入口開口部と、モジュールセクションの後面によって画定された複数の出口開口部とを有する略矩形モジュールセクションであって、モジュールセクションの複数の入口開口部および出口開口部がモジュールセクションの内部空洞の入口および出口を提供する、略矩形モジュールセクションを含む。
【００２２】
本発明によれば、周方向部材長さで着用位置を画定するためにユーザの手首腕領域を包囲する可撓性部材を含む可変ウェイトのトーニングストラップが開示されており、可撓性部材は、ユーザとのユーザ接触構成にある底面と、底面に対向する上側面と、周方向部材長さの少なくとも７５％に沿って横方向に持ち上げられた位置に配置された複数の隆起セクションと、複数の隆起セクションの各々の少なくとも１つのチャネルによって各々選択的に取り外し可能に摩擦的にそれぞれ保持された複数のウェイトとを有する。このように、複数の隆起セクションの各々は、可撓性部材の上側面を少なくとも部分的に画定する上面と、上面に実質的に垂直な方向に延出する少なくとも１つの垂直側壁と、前面と、前面に対向する後面とを有する。これらの各々はまた、隆起セクションの前面から隆起セクションの後面への方向で周方向部材長さに沿って横方向にまたがる少なくとも１つのチャネルを画定する。複数の隆起セクションのうちの２つは、また、上側スリットに隣接する複数のうち２つの隆起セクションの少なくとも１つの垂直側壁によって不連続な上側スリットを画定し、上側スリットは、上側スリットを画定し、可撓性部材の上側面を少なくとも部分的に画定する谷部で終結する、複数のうち２つの隆起セクションの前面から後面にまたがる。
【００２３】
本発明によれば、（１）上側面と、底面と、第１の端部と、第１の端部に対向する第２の端部と、可撓性部材の第１の端部と第２の端部とを分離する可撓性部材長さとを有し、上側面および底面が可撓性部材長さをまたがる可撓性部材と、（２）可撓性部材長さに沿って持ち上げられた位置に配置された複数の隆起セクションであって、（ｉ）可撓性部材長さに沿って横方向に配置され、（ｉｉ）可撓性部材の上側面を少なくとも部分的に画定する上面と、隆起セクションの上面から下方に延出する少なくとも１つの垂直側壁と、前面と、前面に対向する後面と、後面と前面とを分離するセクション幅とを含み、（ｉｉｉ）上側スリットに隣接する複数の隆起セクションの各々の少なくとも１つの垂直側壁によって画定された不連続な上側スリットを有し、上側スリットは、上側スリットを画定している複数の隆起セクションの各々のセクション幅をまたがり、可撓性部材の上側面を少なくとも部分的に画定する谷部で終結し、（ｉｖ）複数の隆起セクションの各々の前面から後面への方向で可撓性部材長さに沿って横方向にまたがる複数のチャネルを画定する、複数の隆起セクションと、（３）複数のウェイトであって、各ウェイトが複数の隆起セクションの各々のそれぞれ複数のチャネルによって選択的に取り外し可能かつ摩擦的に保持される、複数のウェイトと、（４）隆起モジュールセクションであって、可撓性部材長さに沿って持ち上げられた位置に配置され、可撓性部材の上側面を少なくとも部分的に画定する上面と、隆起モジュールセクションの上面に実質的に垂直な方向に延出する少なくとも１つの垂直側壁と、前面と、隆起モジュールセクションの前面に対向する後面と、隆起モジュールセクションの後面と前面とを分離しているセクション幅とを含み、隆起モジュールが内部空洞を画定している、隆起モジュールセクションと、（５）モジュールセクションの内部空洞内に配置され、可撓性部材の上側面を少なくとも部分的に画定している上面を有するデジタルディスプレイと、ディスプレイに電気的に結合された電源とを有する電子制御ユニット（ＥＣＵ）アセンブリとを有する可変ウェイトのトーニングストラップも開示されている。
【００２４】
本発明は、ここでは可変ウェイトのトーニングストラップに具体化されているように図示され説明されているが、本発明の精神から逸脱することなく、特許請求の範囲内および等価物の範囲内で様々な改変および構造的変更を行うことができるため、示された詳細に限定することは意図されていない。さらに、本発明の例示的な実施形態の周知の要素は、本発明の関連する詳細を不明瞭にしないために詳細に説明されないか、または省略される。
【００２５】
本発明の特徴と考えられる他の特徴は、添付の特許請求の範囲に記載されている。必要に応じて、本発明の詳細な実施形態を本明細書に開示するが、開示された実施形態は、本発明の単なる例示であり、様々な形態で実施できることを理解されたい。したがって、本明細書で開示された特定の構造的および機能的詳細は、限定として解釈されるのではなく、単に特許請求の範囲の基礎として、また事実上あらゆる適切な詳細構造で本発明を様々に用いるように当業者に示すための代表的な基礎として解釈されるべきである。さらに、本明細書で使用される用語および語句は、限定することを意図するものではなく、むしろ、本発明の理解可能な説明を提供する。本明細書は、新規であると見なされる本発明の特徴を定義する請求項によって結論付けられるが、本発明は、同様の参照番号が引き継がれる図面と併せて以下の説明を検討することによって、よりよく理解されると考えられる。図面の図は縮尺通りに描かれていない。
【００２６】
本発明を開示し説明する前に、本明細書で使用する用語は、特定の実施形態を説明する目的のみのものであり、限定することを意図するものではないことを理解されたい。本明細書で使用する「１つの（ａ）」または「１つの（ａｎ）」という用語は、１つまたは１つ以上として定義される。本明細書で使用される「複数の」という用語は、２つまたは２つ以上として定義される。本明細書で使用する「別の」という用語は、少なくとも第２またはそれ以上のものとして定義される。本明細書で使用する「含む」および／または「有する」という用語は、含むもの（すなわち、オープンな言語）として定義される。本明細書で使用される「結合された」という用語は、必ずしも直接的ではなく、必ずしも機械的にではないが、接続されたものとして定義される。「提供する」という用語は、本明細書では、最も広い意味で、例えば、全体または複数の部分で一度にまたはある期間にわたって、物理的な存在をもたらす／物理的な存在になる、利用可能にする、および／または誰かまたは何かに供給するものと定義される。
【００２７】
本明細書で使用される場合、「約」または「およそ」という用語は、明示的に示されているか否かにかかわらず、全ての数値に適用される。これらの用語は、一般に、当業者が列挙された値と同等である（すなわち、同じ機能または結果を有する）と考えられる数値の範囲を指す。多くの場合、これらの用語は、最も近い有効数字に丸められた数字を含むことができる。本文書では、「長手方向」という用語は、遠位端部および近位端部にまたがるストラップの細長い方向に対応する方向を意味すると理解されるべきである
【００２８】
添付の図では、同様の参照番号は別個の図を通して同一または機能的に類似の要素を指し、以下の詳細な説明と併せて本明細書に組み込まれ、明細書の一部を形成するものであり、様々な実施形態をさらに説明し、全て本発明に従って様々な原理および利点を説明するのに役立つ。
【図面の簡単な説明】
【００２９】
【図１】１つのウェイトバーが定位置にあり、第２のウェイトバーがストラップに挿入されるかまたはストラップから取り外されているように示した、可変ウェイトのトーニングストラップの斜視部分分解図である。
【図２】図１のトーニングストラップの平面図である。
【図３】２つのウェイトバーが定位置にある、図１のトーニングストラップの正面図である。
【図４】可変ウェイトのトーニングストラップ用の個々のウェイトバーの一形態の斜視図である。
【図５】可変ウェイトのトーニングストラップ格納ユニットの部分分解図である。
【図６】可変ウェイトのトーニングストラップ格納ユニットの部分斜視図である。
【図７】本発明による一実施形態による、ＥＣＵアセンブリが内部に収納された可変ウェイトのトーニングストラップの斜視下向き図である。
【図８】図７の可変ウェイトのトーニングストラップの斜視上向き図である。
【図９】図７の可変ウェイトのトーニングストラップの上面図である。
【図１０】図７の可変ウェイトのトーニングストラップの側面図である。
【図１１】図７の可変ウェイトのトーニングストラップの正面立面図である。
【図１２】図７の可変ウェイトのトーニングストラップの分解図である。
【図１３】本発明の別の実施形態によるモジュールセクションインサートを利用する可変ウェイトのトーニングストラップの分解図である。
【図１４】本発明の一実施形態に従って摩擦で保持されたウェイトを有する隆起セクションの図１３のＡ−Ａに沿った拡大断面図である。
【発明を実施するための形態】
【００３０】
本明細書は、新規であると見なされる本発明の特徴を定義する請求項によって結論付けられるが、本発明は、同様の参照番号が引き継がれる図面と併せて以下の説明を検討することによって、よりよく理解されると考えられる。開示される実施形態は、本発明の単なる例示であり、様々な形態で具体化することができることを理解されたい。
【００３１】
本発明は、新規かつ効率的な可変ウェイトのトーニングストラップを提供する。図面を参照すると、可変ウェイトのトーニングストラップ１０が、ストラップ１０の長さの横方向に延出する複数の好ましくは細長い略矩形セクション１２を有する細長い関節接合された部材として描写され示されている。各セクション１２は、好ましくは、ストラップ１０の残りの部分よりも厚く（上から下に）見え、ストラップ１０と本質的に同じ幅である。各セクション１２の間にはストラップの長さを横切るスペースまたは隙間が存在し、したがってストラップ１０は隣接するセクション間で撓むことができる。ストラップの一端部１４はバックル１６を含んでもよく、ストラップの他端部１８はタブ２０を含んでもよい。ストラップ１０は、タブがバックル１６に挿入されたときにバックル１６の一部が開口部の１つに延出してストラップ１０を固定するように、一連の開口部２２を含む。非限定的な例としてフック・アンド・ループファスナなど、ストラップ１０の２つの端部を固定する代替形態を使用してもよい。あるいは、ユーザが手または他の先端部をストラップ１０によって形成された開口部に挿入するように、２つの端部を永続的に結合または接合してもよい。ストラップ１０は、ユーザの手首／腕を挿入するために弾性的に変形し、ストラップ１０を弾性的に変形させるために使用される力が除去されると、圧縮力によってストラップ１０がユーザの手首／腕に保持されるような形状およびサイズであってもよい。
【００３２】
ストラップ１０は、手首、腕、足首、脚、またはユーザの身体の任意の他の部分に対して適切な長さであってもよい。より多数のセクション１２は可変ウェイトのトーニングストラップ１０の使用からの利益を高める傾向があるため、セクション１２をストラップ１０のほぼ全長に沿って有することが好ましいが、少なくとも２つのセクション１２が設けられるべきである。開口部は、ストラップの有効長さ、すなわち着用者の腕または脚と接触し得るストラップの部分の調節可能性を提供する。
【００３３】
ストラップ１０の少なくとも２つのセクション１２には、１つ以上の取り外し可能なバー２６を受け入れるための開口部またはソケット２４が設けられている。全てのセクション１２は、可変ウェイトのトーニングストラップ１０の利点を最大化する傾向があるような開口部を含むことが好ましいことを理解されたい。
【００３４】
上述のように、ストラップセクション１２は、ストラップ１０の長さのほぼ横方向に延出する。開口部は、好ましくは、セクション１２の細長い方向に延出し、したがってストラップ１０の長さの横方向にも延出する。しかしながら、ストラップセクション１２の形状および開口部の形状は全て変更可能であることを理解されたい。
【００３５】
複数のバー２６も示されている。各バーの形状は、開口部内にバーを設置することができるように、開口部２４の長さおよび形状とほぼ同じである。図面では、バーは円筒形状として示されている。バー２６は、好ましくは、挿入および取り外しを容易にするために、開口部と同じ長さであり、バーが開口部内に摩擦的に保持されるように開口部と同じ断面形状である。バーおよび開口部は、円形の断面であるように示されているが、その特定の形状は変更されてもよいと理解され、解釈されるべきである。
【００３６】
好ましくは、ストラップ１０は、シリコーンまたはゴムなどの可撓性材料から製造される。他の材料は、天然に存在するもの、例えば皮革、または布地または合成物にかかわらず使用することができる。金属および金属合金を使用してもよい。上記の組み合わせを使用してもよい。
【００３７】
バーは、ビスマス、鋼または他の同様の金属または他の材料などの重金属から形成されてもよい。バーは同じ重量である必要はなく、また、バーのいくつかは取り外し可能であり、他のバーは取り外し不可能であってもよい。
【００３８】
可変ウェイトのトーニングストラップを使用するためには、第１のバー２６をソケットまたは開口部２４内に設置し、ストラップ１０をユーザの手首または足首を取り囲むように固定することができる。ストラップのユーザによる通常の動きは、ストラップを着用している日の全体にわたって、筋肉の緊張状態を強化する。毎日または毎週など、所望に応じて不規則または規則的なインターバルで、追加のバーを追加することができる。ユーザが全てのバーが使用されているポイントに達し、さらに筋肉の緊張状態を所望する場合は、より重いウェイトのバーを使用することができる。
【００３９】
ストラップは、各手首に１本ずつ、または各足首に１本ずつ（または各四肢に１本ずつ、４本のストラップ）など、ペアで使用してもよい。
【００４０】
次に、図５および図６を参照して、可変ウェイトのトーニングストラップ格納ユニットの詳細を説明する。格納ユニット３０は、基部３２と取り外し可能部分３４とを有する円筒形であってもよい。取り外し可能部分は、ほぼ平坦な頂部３６と円形の側壁３８とを含む。格納ユニット基部３２はまた、平坦な底部４０と、上方に延出する側壁４２とを含むことができる。基部３２および取り外し可能部分３４は、摩擦嵌めまたはねじり嵌めによってなど、所望に応じて一緒に固定されたままに留まるように嵌め込まれる。
【００４１】
格納ユニット３０は、基部３２の上に間隔をおいて配置された第１のほぼ円形の棚部または肩部４４を含む。円形のロッド４６が、基部３２から棚部４４を通って、または棚部４４から上方に延出する。棚部は、その周囲に一連の鉛直の開口部４８を含む。開口部は、バーを受容して摩擦的に保持するようなサイズおよび形状に構成されている。ストラップの２つの端部が係合されてもよく、あるいはストラップは単に円として形成されてもよく、いずれの状況においても、ストラップはロッド４６の周りに設置される。鉛直の開口部は、ロッドおよび取り囲んでいるストラップが開口部４８の使用を妨げないように、ロッドから半径方向に十分離れて配置される。
【００４２】
図１〜図３に戻ると、可変ウェイトのトーニングストラップ１０は、上側面２８と、底面８００（図８に最もよく示されている）と、第１の端部３００と、第１の端部３００に対向する第２の端部３０２と、可撓性部材１０の第１の端部３００と第２の端部３０２とを分離する可撓性部材長さ３０４とを有する。上側面２８および底面８００は可撓性部材長さ３０４にまたがる。上述のように、「隆起セクション」１２とも呼ばれる複数の略矩形セクション１２は、可撓性部材長さ３０４に沿って横方向に配置される。言い換えれば、隆起セクション１２は、前面２００および後面２０２が可撓性部材１０の長手方向または長さ３０４に沿う方向に対して実質的に垂直（９０°±５°）の方向で対面して配置されるように配向されている。セクション幅２０６は、セクション１２の前面２００および後面２０２を分離していると見ることもできる。図２に最もよく示されるように、セクション幅２０６は、可撓性部材１０またはストラップ部分と同じ長さである。
【００４３】
隆起セクション１２はまた、ストラップ１０の長さ３０４に沿って横方向に持ち上げられた位置に配置されていることが分かる。言い換えれば、セクション１２はストラップ部分またはタブ２０の上に持ち上げられ、そこに収納されたウェイト２６を収容し、さらに、ユーザが使用するための快適で実用的なストラップ１０を提供する。タブ２０がバックルと接合されるとき、あるいはストラップ１０が、ユーザの手首腕領域、すなわち「着用位置」を囲み、ユーザによって使用されるように構成されているとき、当業者であれば理解されるようにストラップ長さは周方向となり、以下、「周方向部材長さ」と呼ぶ。ストラップ１０は、周方向部材長さの少なくとも７５％に沿って横方向に配置された複数の隆起セクションを有することができるため、一実施形態では、ストラップ１０は約２ｌｂのウェイト２６を収納することができる。
【００４４】
隆起セクション１２の上面２０４の各々は、可撓性部材の上側面２８を画定することができる。各隆起セクション１２は、上面２０４に実質的に垂直な方向に延出する１つ以上の垂直側壁３０６を有することが分かる。２つの隣接する隆起したセクション１２上の側壁３０６は、可撓性材料である隆起セクション１２が使用中に可撓性部材１０としてスリット３０８を出入りすることができるように、不連続な上側スリット３０８を有益に画定していることが分かる。具体的には、既知のウェイト付きストラップとは異なり、隆起セクション１２の構成は、ユーザがエクササイズ、スポーツ、または他の活動に関与している間にさらなる快適性と多様性を提供する。言い換えれば、ユーザが、例えば手を様々な角度に置くか配向することを必要とするエクササイズに関与している間、ユーザの手首を取り囲む任意のブレスレット、腕時計または他のストラップ部分は、エクササイズ中にずれる、および／またはユーザの手首の動作範囲を妨げるかまたは不快感を与えることを当業者であれば理解するであろう。この妨害または不快感は、ウェイト付きストラップを利用する場合、ストラップの追加の重量によって悪化する。セクション１２を含む可撓性部材１０は可撓性であるため、ユーザがストラップ１０を利用している間に上側スリット３０８内に誘導するセクション１２の構成およびセクション１２の能力によって、手首または手の動きを用いるユーザのエクササイズルーチン中のストラップ１０およびセクション１２のずれは、不快感を引き起こさないか、またはユーザの動作範囲を妨げないことが有利である。
【００４５】
上側スリット３０８は、複数のセクション１２の２つの間に挟まれた谷部２０８内に終端するため不連続であり、谷部２０８はまた、可撓性部材１０の上側面２８を部分的に画定していることが分かる。上側スリット３０８は、上側スリット３０８を画定している複数の略矩形セクション１２の各々のセクション幅２０６にまたがっていることが分かる。上側スリット３０８はまた、スペースを最大にし、さらにセクション１２がスリット３０８内に撓むのに十分な余地を提供するように、２つのセクション１２の間に略矩形の容積を形成していることが分かる。
【００４６】
図３および図８を簡単に参照すると、ユーザにさらなる快適性および汎用性を提供するために、ストラップ１０はまた、可撓性部材１０の底面８００（図８に示される）によって画定された少なくとも１つの不連続な下側スリット３１０を有することが分かる。下側スリット３１０は、可撓性部材１０の前面８０４と後面３１２とを分離する横方向幅８０２にまたがっていることが分かり、上側スリット３０８と位置合わせされる。一実施形態では、上側スリット３０８および下側スリット３１０は、およそ０．０５〜０．２インチの幅である。上側スリット３０８はおよそ０．５〜１．５インチの深さを有し、下側スリット３１０はおよそ０．０５〜０．２インチの深さを有することができる。このように、セクション部材１２は、ワークアウトルーチン、スポーツ、または他の活動の間、ユーザの手首の周りで快適に収縮および拡張することが容易に可能である。可撓性部材１０はまた、可撓性部材のストラップ部分の小さな部分だけで、長さ３０４に沿ってセクション１２を分離していることが分かる。セクション１２の構成および互いに対する動きを達成するために、可撓性部材と複数の略矩形または隆起したセクションとは一体的であるか、またはゴムなどの材料の単一部分から形成される。
【００４７】
図１〜図３に戻ると、ストラップ１０は、ソケット２４内に挿入され摩擦的に保持され得る複数のウェイト２６、またはウェイト２６の効果的な挿抜を可能にする入口開口部２９および出口開口部３１４に終端する「チャネル」を保持することができる。図４を図３と組み合わせて簡単に参照すると、セクション１２によって摩擦的に保持されるときにウェイト２６の取り外しを達成するために、ウェイト２６は、ウェイト２６を周方向に取り囲む凹部４００または切欠きを画定することができる。可撓性セクション１２によって生じる摩擦抵抗は大きくなり得るため、凹部４００または切欠きは、ウェイト２６を取り外すために何かをつかむ機能をユーザに提供する。したがって、凹部４００または切欠きは、好ましくは、ウェイト２６の終端部に実質的に隣接して（±０．５インチ以内に）配置される。
【００４８】
ウェイト２６はまた、ウェイト２６の重心（幾何学的中心）または質量中心のいずれかによって定義される少なくとも１つの点によって画定される長手方向軸（図４の軸４０２によって表される）を含むことができる。スペースを節約し、かなりの量のウェイトを格納することができるデバイスを提供するために、複数のうち１つの略矩形セクション１２の複数のチャネルによって取り外し可能に摩擦的に保持される複数のうち２つのウェイト２６の長手方向軸４０２は、互いに平行かつ同一平面上にある。
【００４９】
ここで図７−図１３を参照すると、可撓性ストラップ部材７００の別の実施形態を見ることができる。具体的には、ストラップ７００は、隆起モジュールセクション７０４を有することに加えて、上述したように複数の隆起セクション７０２を有することができる。隆起モジュールセクション７０４は、電子ディスプレイ、交換可能なピン、ボタン、または他の表現表示など、ユーザにとって望ましい様々な異なる構造を収納するか、または家の鍵など個人的なアイテムの格納領域として使用する能力を有する。隆起モジュールセクション７０４は、他の隆起セクション１２について上述したように、略矩形であってもよい。モジュールセクション７０４はまた、可撓性部材長さに沿って横方向に配置され、可撓性部材７００の上側面７０８を少なくとも部分的に画定する上面７０６を含む。モジュールセクション７０４はまた、上面７０６に実質的に垂直な方向に延出する少なくとも１つの垂直側壁、前面７１０、前面７１０に対向する後面８０６、および後面８０６と前面７１０とを分離しているセクション幅９００を有することができる。モジュールセクション７０４はまた、内部空洞１２０２を画定し、そこに例えば電子制御ユニット（ＥＣＵ）アセンブリ１２００を配置することができる。内部空洞１２０２は、矩形形状、または本明細書に記載の特徴を達成するのに望ましい任意の他の形状であってもよい。
【００５０】
例示的な電子制御ユニット（「ＥＣＵ」）アセンブリ１２００は、図１２に見ることができ、可撓性部材７００の上側面７０８を少なくとも部分的に画定する上面１２０６を有するデジタルディスプレイ１２０４と、電源１２０８（例えば、ディスプレイ１２０４に電気的に結合されたバッテリ）とを有することができる。ＥＣＵアセンブリ１２００は、ユーザインタフェースを含むことができ、当業者には理解されるように、様々なプログラムを実行するように動作可能なプロセッサを利用することができる。例えば、ディスプレイ１２０４は、様々な他の特徴の中でも、時間、日付、ユーザのカレンダー、懐中電灯を生成するように動作可能に構成されてもよい。ＥＣＵアセンブリ１２００は、１つ以上のセンサと共に利用される場合、ユーザを追跡するための様々な他の特徴の中でも、ユーザの心拍、血圧を判定および表示するように動作可能に構成されてもよい。ＥＣＵアセンブリ１２００はまた、ストラップ１０によって担持されている重量を計算し、ユーザがその重量を担持することに由来する引き締め効果、例えば燃焼カロリーを推定するように動作してもよい。ＥＣＵアセンブリ１２００はまた、ユーザの音楽をメモリに記憶するように動作可能に構成されてもよく、ヘッドフォンまたはイヤホンと共に使用するように構成された差し込み口またはコンセントを含んでもよい。ＥＣＵアセンブリ１２００はまた、ブルートゥース（登録商標）などの１つ以上のローカル通信プロトコルを利用してもよい。
【００５１】
ＥＣＵアセンブリ１２００はまた、モジュールセクション７０４の内部空洞１２０２に対応する形状およびサイズのＥＣＵハウジング１２１０を含んでもよい。ウェイト１２１２と同様に、ＥＣＵハウジング１２１０は、モジュールセクション７０４によって選択的に取り外し可能に摩擦的に保持されてもよい。このように、ユーザは、モジュールセクション７０４の空洞１２０２内の様々なデバイスおよびコンポーネントを有益に交換することができ、審美的には他のセクション７０２と同じように見えてもよい。一実施形態では、モジュールセクション７０４は、図７−図１２の面７１０，８０６によって画定されたいずれの開口部もなしに示されているが、他の実施形態では、モジュールセクション７０４は、図１３に示すように、セクション７０２と同様に１つ以上の開口部および貫通穴、またはチャネルを有して形成される。
【００５２】
具体的には、図１３に示すように、モジュールセクション７０４は、モジュールセクション１３０４によって選択的に取り外し可能かつ摩擦的に保持される形状およびサイズである上側面１３０２を有するモジュールセクションインサート１３００を有益に含み得る。一実施形態では、上側面１３０２は、モジュールセクション１３０４の上側面１３０６と同一平面上にあり、例えばウェイト１３１０などの１つ以上のウェイトを保持する別の隆起セクション、例えばセクション１３０８であるという外観を与える。有利には、モジュールセクションインサート１３００は、モジュールセクションインサート１３００の上側面１３０２に対して実質的に垂直な向きで配置された隔壁１３１２を含むことができる。１つ以上のウェイト１３１０を収容するために、モジュールセクションインサート１３００の隔壁１３１２は、モジュールセクション１３０４の内部空洞内に収納される複数のウェイト１３１０の輪郭を少なくとも部分的に描くように形作られた、対向する対称な側面１３１４，１３１６を有することが分かる。図１３に示すように、ウェイト１３１０は円筒形であるため、対称な側面１３１４，１３１６は、ウェイト１３１０が挿入されるときに摩擦的に保持するのに役立つように円弧形状であることが分かる。このように、ユーザがより多くの重量を所望する場合、モジュールセクション１３０４は、他のセクション１３０８と同様に利用することができる。
【００５３】
図１４を簡単に参照すると、図１３のＡ−Ａに沿った拡大断面図を見ることができる。図１４に示すように、隆起セクション１３０８は、より効果的かつ安全な方法で１つ以上のウェイト１３１０を保持するように構成され、形作られていることが分かり、それにより、ユーザの動きによってウェイトが不本意に取り外される可能性が低減される。具体的には、隆起セクション１３０８は、隆起セクションの遠位端部１４０２を取り囲むことができ、かつ空洞１３１８またはチャネル内への入口開口部１３２０を画定するフランジ１４００またはリップを画定していることが分かる。このように、入口開口部１３２０は、チャネル１３１８の直径１４０６または幅よりも小さい直径１４０４または幅を有する。フランジ１４００は、例えばチャネル１３１８からウェイト１３１０を取り外すために、ユーザによって弾性的に変形（可撓性であるため）されない限り、ウェイト１３１０の横方向の動きを有利に制限する。このように、フランジ１４００はまた、ウェイト１３１０に接触する内壁１４０８と、入口または出口開口部１３２０を画定する開口面１４１０とを有することが分かる。
【００５４】
図１２〜図１３を参照すると、ユーザがＥＣＵアセンブリ１２００を用いることを所望する場合、ユーザは、インサート１３００を取り外し、ＥＣＵアセンブリ１２００を挿入する。図１２に戻ると、他の利点の中でもＥＣＵアセンブリ１２００の盗難を抑止する努力において、モジュールセクション１３０４がまだ１つ以上のウェイト１２１２のウェイトに使用するために利用されているという外観を与えるために、アセンブリ１２００は、ハウジング１２１０に隣接し、開口部１３２０を通して目に見えるように露出された金属ブランク１２１４を利用することもできる。インサート１３００の上側面１３０２には様々な表示を用いることができ、他の表示の中でもユーザの好きなスポーツチームのロゴ、ユーザの出身校、ユーザの国籍を表す旗などが挙げられる。さらなる実施形態では、ＥＣＵアセンブリ１２００がモジュールセクション１３０４と共に利用されない場合、空洞１３１８は、ユーザのポータブルメディアプレーヤを収納するのに十分なサイズであってもよい。
【００５５】
このように、既知の可変ウェイトストラップによって経験される全てではなくとも多くの問題を解決する可変ウェイトのトーニングストラップが開示されている。ストラップは、可変ウェイトのトーニングストラップを利用しながら、ユーザのエクササイズルーチンまたは他の活動を妨げることなく、可変量の所望のウェイトを効果的、効率的、かつ快適に保持することを可能にする。さらに、可変ウェイトのトーニングストラップはまた、電子ディスプレイ、広告表示、またはパーソナライズされたユーザコンテンツなどの様々なコンポーネントまたはデバイスをユーザが交換して、ユーザが所望するカスタマイズされた構成を達成することを可能にする。
【図１】
2019514622.tif 000003
【図２】
2019514622.tif 000004
【図３】
2019514622.tif 000005
【図４】
2019514622.tif 000006
【図５】
2019514622.tif 000007
【図６】
2019514622.tif 000008
【図７】
2019514622.tif 000009
【図８】
2019514622.tif 000010
【図９】
2019514622.tif 000011
【図１０】
2019514622.tif 000012
【図１１】
2019514622.tif 000013
【図１２】
2019514622.tif 000014
【図１３】
2019514622.tif 000015
【図１４】
2019514622.tif 000016
【国際調査報告】
2019514622.tif 000017